【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
バックライト付き表示装置（６０，７０，８０）の輝度上昇フィルムであって、前記輝度上昇フィルムは、
（ａ）固体状透明誘電材料製の透明シート（６４，７４，８４）と、
（ｂ）前記透明シート（６４，７４，８４）の外向面を実質的に覆る複数の第１半ビーズ（２４）であって、前記第１半ビーズ（２４）は前記外向面から突出する略半球形の固体状透明誘電性であることと
を含む、輝度上昇フィルム。
【請求項２】
前記第１半ビーズ（２４）の少なくとも幾つかの最小直径は、２μｍである、請求項１記載の輝度上昇フィルム。
【請求項３】
各々の前記第１半ビーズ（２４）は第１平均直径を有し、
前記輝度上昇フィルムは更に、
（ａ）互いに隣接する前記第１半ビーズ（２４）間の隙間（２６）と、
（ｂ）少なくとも幾つかの前記隙間（２６）に配置される第２半ビーズ（２８）と
を含み、
前記第２半ビーズ（２８）はそれぞれ略半球形の固体状透明誘電性であり、各々の前記第２半ビーズ（２８）は前記第１平均直径よりも小さい第２平均直径を有する、請求項２記載の輝度上昇フィルム。
【請求項４】
前記透明シート（６４，７４，８４）の屈折率は少なくとも１．５であり、
前記第１半ビーズ（２４）と前記第２半ビーズ（２８）それぞれの屈折率は少なくとも１．５である、請求項１記載の輝度上昇フィルム。
【請求項５】
前記透明シート（６４，７４，８４）の屈折率は少なくとも１．５であり、
前記第１半ビーズ（２４）と前記第２半ビーズ（２８）それぞれの屈折率は少なくとも１．５である、請求項３記載の輝度上昇フィルム。
【請求項６】
前記透明シート（６４，７４，８４）の屈折率は少なくとも１．６であり、
前記第１半ビーズ（２４）と前記第２半ビーズ（２８）それぞれの屈折率は少なくとも
１．６である、請求項１記載の輝度上昇フィルム。
【請求項７】
前記透明シート（６４，７４，８４）の屈折率は少なくとも１．６であり、
前記第１半ビーズ（２４）と前記第２半ビーズ（２８）それぞれの屈折率は少なくとも１．６である、請求項３記載の輝度上昇フィルム。
【請求項８】
複数の前記第１半ビーズ（２４）は、単層に密に充填される、請求項１記載の輝度上昇フィルム。
【請求項９】
複数の前記第１半ビーズ（２４）と複数の前記第２半ビーズ（２８）は、単層に密に充填される、請求項３記載の輝度上昇フィルム。
【請求項１０】
前記隙間（２６）の少なくとも７５％は、少なくとも一つの前記第２半ビーズ（２８）を含む、請求項３記載の輝度上昇フィルム。
【請求項１１】
各々の前記第１半ビーズ（２４）は、前記透明シート（６４，７４，８４）内に部分的に埋込まれる略球形部材のうちの略半球形部分である、請求項１記載の輝度上昇フィルム。
【請求項１２】
前記第１半ビーズ（２４）と前記第２半ビーズ（２８）はそれぞれ、前記透明シート（６４，７４，８４）内に部分的に埋込まれる略球形部材のうちの略半球形部分である、請求項３記載の輝度上昇フィルム。
【請求項１３】
各々の前記第１半ビーズ（２４）は、前記外向面に貼付される略半球形部材である、請求項１記載の輝度上昇フィルム。
【請求項１４】
前記第１半ビーズ（２４）と前記第２半ビーズ（２８）はそれぞれ、前記透明シート（６４，７４，８４）の前記外向面に貼付される略半球形部材である、請求項３記載の輝度上昇フィルム。
【請求項１５】
請求項１記載の輝度上昇フィルムを備える、バックライト付き表示装置。
【請求項１６】
請求項３記載の輝度上昇フィルムを備える、バックライト付き表示装置。
【請求項１７】
肉眼で実質的に互いに平行な内向き輝度上昇フィルム（７２）と外向き輝度上昇フィルム（７４）を備えるバックライト付き表示装置（７０）であって、
前記内向き輝度上昇フィルム（７２）はミクロ複製プリズム輝度上昇フィルムであり、
前記外向き輝度上昇フィルム（７４）は請求項１記載の輝度上昇フィルムである、バックライト付き表示装置。
【請求項１８】
肉眼で互いに実質的に平行な内向き輝度上昇フィルム（８２）と外向き輝度上昇フィルム（８４）を備えるバックライト付き表示装置（８０）であって、
前記内向き輝度上昇フィルム（８２）はミクロ複製プリズム輝度上昇フィルムであり、
前記外向き輝度上昇フィルム（８４）は請求項３記載の輝度上昇フィルムである、バックライト付き表示装置。
【請求項１９】
肉眼で互いに実質的に平行な内向き輝度上昇フィルム（８２）と外向き輝度上昇フィルム（８４）を備えるバックライト付き表示装置（８０）であって、
前記内向き輝度上昇フィルム（８２）と前記外向き輝度上昇フィルム（８４）は、それぞれ請求項１記載の輝度上昇フィルムである、バックライト付き表示装置。
【請求項２０】
肉眼で互いに実質的に平行な内向き輝度上昇フィルム（８２）と外向き輝度上昇フィルム（８４）を備えるバックライト付き表示装置（８０）であって、
前記内向き輝度上昇フィルム（８２）と前記外向き輝度上昇フィルム（８４）はそれぞれ、請求項３記載の輝度上昇フィルムである、バックライト付き表示装置。
【請求項２１】
バックライト付き表示装置（６０，７０，８０）の輝度を上昇させる輝度上昇方法であって、前記輝度上昇方法は、
（ａ）表示装置のバックライト部分の外向面に、固体状透明誘電材料製の第１シート（６４，７４，８４）を設けることと、
（ｂ）前記第１シート（６４，７４，８４）の外向面を、外側に突出する複数の第１半ビーズ（２４）によって実質的に覆うことであって、各々の前記第１半ビース（２４）は略半球形の固体状透明性であることと、
（ｃ）前記第１シート（６４，７４，８４）と前記第１半ビーズ（２４）を通過して表示装置から放射した光線を誘導することと
を含む、輝度上昇方法。
【請求項２２】
互いに隣接する前記第１半ビーズ（２４）の間には隙間（２６）が存在し、各々の前記第１半ビーズ（２４）は第１平均直径を有し、
前記輝度上昇方法は更に、少なくとも幾つかの前記隙間（２６）に第２半ビーズ（２８）を設けることを備え、各々の前記第２半ビーズ（２８）は略半球形の透明高屈折率であり、各々の前記第２半ビーズ（２８）は前記第１平均直径よりも小さい第２平均直径を有する、請求項２１記載の輝度上昇方法。
【請求項２３】
前記輝度上昇方法は更に、複数の前記第１半ビーズ（２４）を、単層に密に充填することを含む、請求項２１記載の輝度上昇方法。
【請求項２４】
前記輝度上昇方法は更に、複数の前記第１半ビーズ（２４）と複数の前記第２半ビーズ（２８）を、単層に密に充填することを含む、請求項２２記載の輝度上昇方法。
【請求項２５】
前記輝度上昇方法は更に、少なくとも７５％の前記隙間（２６）に、少なくとも一つの前記第２半ビーズ（２８）を設けることを含む、請求項２２記載の輝度上昇方法。
【請求項２６】
前記輝度上昇方法は更に、
固体状透明誘電材料製の第２シート（７２）を設けることと、
前記第２シート（７２）を、第１シート（７４）に実質的に肉眼で平行、且つ、前記第１シートの内側に整列することと、
前記第２シート（７２）上に複数のミクロ複製プリズムを設けることと、
前記第２シート（７２）を通過した光線を、前記第１シート（７４）に向けて誘導することと
を含む、請求項２１記載の輝度上昇方法。
【請求項２７】
前記輝度上昇方法は更に、前記第２シート（７２）の外向面上に複数のミクロ複製プリズムを設けることを含む、請求項２６記載の輝度上昇方法。
【請求項２８】
前記輝度上昇方法は更に、
固体状透明誘電材料製の第２シート（８２）を、前記第１シート（８４）に実質的に肉眼で平行、且つ前記第１シート（８４）の内側に配置することと、
前記第２シート（８２）の外向面を、外側に突出する複数の第２半ビーズ（２８）によって覆うことであって、各々の前記第２半ビーズ（２８）は略半球形の固体状透明性であ
ることと、
前記第２シート（８２）を通過した光線を、前記第１シート（８４）に向けて誘導することと
を含む、請求項２１記載の輝度上昇方法。
【手続補正２】
【補正対象書類名】明細書
【補正対象項目名】発明の名称
【補正方法】変更
【補正の内容】
【発明の名称】バックライト付き画像表示装置用の輝度上昇フィルム、表示装置、および輝度上昇方法